【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
セグメントのセットをテキストフィールドから受け取るステップを含み、前記セグメントのセットは前記テキストフィールドにおける入力カーソルの現在位置に対して選択された対象の１つ以上のセグメントを含んでおり、さらに、
前記セグメントのセットに関連付けられる目標サブテキストまたは目標意味の少なくとも１つを決定するよう前記セグメントのセットを分析するステップと、
候補のエモティコンのセットを識別するステップとを含み、前記候補のエモティコンのセットにおける各候補のエモティコンは、前記候補のエモティコンと前記目標サブテキストまたは前記目標意味の少なくとも１つとの間に関連性を有しており、前記候補のエモティコンのセットは、１つ以上の候補のエモティコンを含んでおり、さらに、
エントリ選択のために前記入力カーソルの現在位置に前記候補のエモティコンのセットを提示するステップと、
前記候補のエモティコンのセットからの選択されるエモティコンのセットについて、エントリ選択を受け取るステップとを含み、前記選択されるエモティコンのセットは１つ以上の選択されるエモティコンを含んでおり、さらに、
前記選択されるエモティコンのセットを前記テキストフィールドにおける前記入力カーソルの現在位置に挿入するステップを含む、方法。
【請求項２】
各関連性は、前記目標サブテキストまたは前記目標意味の少なくとも１つとの前記候補のエモティコンの統計的な使用を含む、請求項１に記載の方法。
【請求項３】
前記統計的な使用は単一のユーザまたは複数のユーザによる使用に基づく、請求項２に記載の方法。
【請求項４】
前記選択されるエモティコンのセットについての前記エントリ選択に基づき、前記候補のエモティコンの前記統計的な使用を更新するステップをさらに含む、請求項２に記載の方法。
【請求項５】
前記セグメントのセットを分析するステップは、前記セグメントのセットの意味分析を含む、請求項１に記載の方法。
【請求項６】
エントリ選択のために前記エモティコンのセットを提示するステップは、エントリ選択のために前記入力カーソルの現在位置または現在位置の近くに前記エモティコンを表示するステップを含む、請求項１に記載の方法。
【請求項７】
エントリ選択のために前記候補のエモティコンのセットを提示するステップは、エントリ選択のために物理的な入力装置または仮想入力装置上に前記候補のエモティコンのセットを表示するステップを含み、前記物理的な入力装置および仮想入力装置は、前記エントリ選択を実行するよう構成される、請求項１に記載の方法。
【請求項８】
前記仮想入力装置は、前記テキストフィールドに近接近して表示される、請求項７に記載の方法。
【請求項９】
対象の各セグメントは、前記入力カーソルの現在位置の前または後に存在する単語、文の断片、文、句、または節の少なくとも１つを含む、請求項１に記載の方法。
【請求項１０】
前記候補のエモティコンのセットを識別するステップはさらに、少なくともユーザプレファレンス、ユーザに関連する情報、または受信者に関連する情報に基づく、請求項１に記載の方法。
【請求項１１】
前記受信者に関連する情報は、ユーザの興味と、ユーザの民族性と、ユーザの宗教と、ユーザの地理的位置と、ユーザの年齢と、ユーザの関係ステータスと、ユーザの職業とを含む、請求項１０に記載の方法。
【請求項１２】
前記ユーザに関連する情報は、ユーザに対する受信者の関係と、受信者の興味と、受信者の民族性と、受信者の宗教と、受信者の地理的位置と、受信者の年齢と、受信者の関係ステータスと、受信者の職業とを含む、請求項１０に記載の方法。
【請求項１３】
システムであって、
プロセッサと、
テキストフィールドと前記テキストフィールドに入力される１つ以上のセグメントとを表示するよう構成される表示モジュールと、
セグメント入力をユーザから受け取り、前記セグメント入力を前記テキストフィールド内に入力カーソルにて入力するよう構成される入力モジュールと、
セグメント分析モジュールとを含み、
前記セグメント分析モジュールは、セグメントのセットを前記テキストフィールドから受け取るよう構成されており、前記セグメントのセットは前記テキストフィールドにおける前記入力カーソルの現在位置に対して選択された対象の１つ以上のセグメントを含んでおり、
前記セグメント分析モジュールは、前記プロセッサを用いて、前記セグメントのセットに関連付けられる目標サブテキストまたは目標意味の少なくとも１つを決定するよう前記セグメントのセットを分析するよう構成されており、前記システムはさらに、
候補のエモティコンのセットを識別するよう構成されるエモティコン検索モジュールを含み、前記候補のエモティコンのセットにおける各候補のエモティコンは、前記候補のエモティコンと前記目標サブテキストまたは前記目標意味の少なくとも１つとの間に関連性を有しており、前記候補のエモティコンのセットは、１つ以上の候補のエモティコンを含んでおり、前記システムはさらに、
エントリ選択のために前記入力カーソルの現在位置に前記表示モジュールを通じて前記候補のエモティコンのセットを提示するよう構成されるエモティコン提案モジュールと、
エモティコン選択モジュールとを含み、
前記エモティコン選択モジュールは、前記候補のエモティコンのセットからの選択されるエモティコンのセットについて、前記入力モジュールからエントリ選択を受け取るよう構成されており、前記選択されるエモティコンのセットは１つ以上の選択されるエモティコンを含んでおり、
前記エモティコン選択モジュールは、前記選択されるエモティコンのセットを前記テキストフィールドにおける前記入力カーソルの現在位置に挿入するよう構成される、システム。
【請求項１４】
前記テキストフィールドへのエントリが可能な１つ以上のエモティコンを含むエモティコンデータストアをさらに含み、前記エモティコン検索モジュールはさらに、前記エモティコンデータストア上の前記候補のエモティコンのセットを識別するよう構成される、請求項１３に記載のシステム。
【請求項１５】
各関連性は、前記目標サブテキストまたは前記目標意味の少なくとも１つとの前記候補のエモティコンの統計的な使用を含む、請求項１３に記載のシステム。
【請求項１６】
前記統計的な使用は単一のユーザまたは複数のユーザによる使用に基づく、請求項１５に記載のシステム。
【請求項１７】
前記エモティコン選択モジュールはさらに、前記選択されるエモティコンのセットについての前記エントリ選択に基づき、前記候補のエモティコンの前記統計的な使用を更新するよう構成される、請求項１５に記載のシステム。
【請求項１８】
前記セグメントのセットを分析することは、前記セグメントのセットの意味分析を含む、請求項１３に記載のシステム。
【請求項１９】
エントリ選択のために前記表示モジュールを通じて前記エモティコンのセットを提示することは、エントリ選択のために前記入力カーソルの現在位置または現在位置の近くに前記エモティコンを表示することを含む、請求項１３に記載のシステム。
【請求項２０】
エントリ選択のために前記表示モジュールを通じて前記候補のエモティコンのセットを提示することは、エントリ選択のために前記入力モジュールを通じて前記候補のエモティコンのセットを表示することを含む、請求項１３に記載のシステム。
【請求項２１】
前記入力モジュールは物理的な入力装置または仮想入力装置を含み、前記物理的な入力装置および仮想入力装置は、前記エントリ選択を実行するよう構成される、請求項２０に記載のシステム。
【請求項２２】
前記仮想入力装置は、前記テキストフィールドに近接近して表示される、請求項２１に記載のシステム。
【請求項２３】
対象の各セグメントは、前記入力カーソルの現在位置の前または後に存在する単語、文の断片、文、句、または節の少なくとも１つを含む、請求項１３に記載のシステム。
【請求項２４】
前記候補のエモティコンのセットを識別することはさらに、少なくともユーザプレファレンス、ユーザに関連する情報、または受信者に関連する情報に基づく、請求項１３に記載のシステム。
【請求項２５】
前記ユーザに関連する情報は、ユーザの興味と、ユーザの民族性と、ユーザの宗教と、ユーザの地理的位置と、ユーザの年齢と、ユーザの関係ステータスと、ユーザの職業とを含む、請求項２４に記載のシステム。
【請求項２６】
前記受信者に関連する情報は、ユーザに対する受信者の関係と、受信者の興味と、受信者の民族性と、受信者の宗教と、受信者の地理的位置と、受信者の年齢と、受信者の関係ステータスと、受信者の職業とを含む、請求項２４に記載のシステム。
【請求項２７】
セグメントのセットをテキストフィールドから受け取るための手段を含み、前記セグメントのセットは前記テキストフィールドにおける入力カーソルの現在位置に対して選択された対象の１つ以上のセグメントを含んでおり、さらに、
前記セグメントのセットに関連付けられる目標サブテキストまたは目標意味の少なくとも１つを決定するよう前記セグメントのセットを分析するための手段と、
候補のエモティコンのセットを識別するための手段とを含み、前記候補のエモティコンのセットにおける各候補のエモティコンは、前記候補のエモティコンと前記目標サブテキストまたは前記目標意味の少なくとも１つとの間に関連性を有しており、前記候補のエモティコンのセットは、１つ以上の候補のエモティコンを含んでおり、さらに、
エントリ選択のために前記入力カーソルの現在位置に前記候補のエモティコンのセットを提示するための手段と、
前記候補のエモティコンのセットからの選択されるエモティコンのセットについて、エントリ選択を受け取るための手段とを含み、前記選択されるエモティコンのセットは１つ
以上の選択されるエモティコンを含んでおり、さらに、
前記選択されるエモティコンのセットを前記テキストフィールドにおける前記入力カーソルの現在位置に挿入するための手段を含む、システム。